(57)【要約】【課題】軒樋の側片と落ち葉除けカバーの側面との間を通して排水口にスムーズに雨水を流すことができる。【解決手段】軒樋の落ち葉除け構造は、軒樋１の底部２に設けた排水口３を前記軒樋１内において覆う落ち葉除けカバー４と、前記軒樋１の長手方向において少なくとも前記落ち葉除けカバー４の上方において前記軒樋１の長手方向の略全長にわたって覆い且つ前記軒樋１の両側片５の略上端間に亘って覆うネット６を備える。【選択図】図１
2012154056.tif 000002
【特許請求の範囲】
【請求項１】
軒樋の底部に設けた排水口を前記軒樋内において覆う落ち葉除けカバーと、前記軒樋の長手方向において少なくとも前記落ち葉除けカバーの上方において前記軒樋の長手方向の略全長にわたって覆い且つ前記軒樋の両側片の略上端間に亘って覆うネットを備えていることを特徴とする軒樋の落ち葉除け構造。
【請求項２】
前記ネットが前記落ち葉除けカバーに着脱自在に取付けられていることを特徴とする請求項１記載の軒樋の落ち葉除け構造。
【請求項３】
前記排水口に排水ドレンが取付けられ、この排水ドレンに前記落ち葉除けカバーが着脱自在に取付けられていることを特徴とする請求項１又は請求項２記載の軒樋の落ち葉除け構造。
【発明の詳細な説明】
【技術分野】
【０００１】
本発明は、軒樋の落ち葉除け構造に関する。
【背景技術】
【０００２】
従来から、軒樋の底部に設けた排水口に落ち葉が流れ込まないようにするための落ち葉除けカバーが特許文献１により知られている。
【０００３】
この特許文献１に示される落ち葉除けカバーは、平面視略長楕円形状（平面視略小判形状）をし且つ下面が開口し且つ四周側面と上面が格子状となったかご状をしており、下面の開口が軒樋の排水口よりも大きい開口面積となっている。
【０００４】
この落ち葉除けカバーは、排水口をすっぽりと覆うように軒樋内に配置して取付けられる。
【０００５】
この場合、平面視略長楕円形状をした落ち葉除けカバーの長辺が軒樋の長手方向と平行となるように取付けられる。
【０００６】
軒樋内に落ちた落ち葉は、雨水により軒樋内を排水口側に流され、落ち葉除けカバーの四周側面のうち雨水の流れに対向する格子状側面に付着して排水口に流れ込まないようになっている。
【０００７】
落ち葉除けカバーの雨水の流れに対向する格子状側面に落ち葉が付着すると、雨水は軒樋の側片と、この軒樋の側片と対向する落ち葉除けカバーの格子状側面の間の隙間を流れ、軒樋の側片に対向する落ち葉除けカバーの格子状側面から排水口側に流れる。
【０００８】
一方、落ち葉が、落ち葉除けカバーの上面に落ちた場合は、落ち葉除けカバーの格子状上面に付着し、排水口に流れ込まないようになっている。
【先行技術文献】
【特許文献】
【０００９】
【特許文献１】特開２００５−３３６７４７号公報
【発明の概要】
【発明が解決しようとする課題】
【００１０】
しかし上記従来例において、落ち葉が、軒樋の側片と、落ち葉除けカバーの格子状側面との間に落ちると、落ち葉が流れずにこの部分に溜まったり、軒樋の側片に対向する落ち葉除けカバーの格子状側面に付着したりする。
【００１１】
特に、軒樋の側片と落ち葉除けカバーの格子状側面との間は狭いため、ここに落ち葉が溜まったり、落ち葉除けカバーの軒樋の側片と対向する格子状側面に落ち葉が付着すると、この部分を通って排水口側に雨水が流れ難くなる。
【００１２】
本発明の目的とするところは、軒樋の側片と落ち葉除けカバーの側面との間に落ち葉の堆積や、軒樋の側片に対向する落ち葉除けカバーの側面に落ち葉が付着し難くしてスムーズに排水口に雨水を流すことができる軒樋の落ち葉除け構造を提供するにある。
【課題を解決するための手段】
【００１３】
本発明の軒樋の落ち葉除け構造は、軒樋の底部に設けた排水口を前記軒樋内において覆う落ち葉除けカバーと、前記軒樋の長手方向において少なくとも前記落ち葉除けカバーの上方において前記軒樋の長手方向の略全長にわたって覆い且つ前記軒樋の両側片の略上端間に亘って覆うネットを備えていることを特徴とする。
【００１４】
ここで、前記ネットが前記落ち葉除けカバーに着脱自在に取付けられていることが好ましい。
【００１５】
また、前記排水口に排水ドレンが取付けられ、この排水ドレンに前記落ち葉除けカバーが着脱自在に取付けられていることが好ましい。
【発明の効果】
【００１６】
本発明は、軒樋の側片と落ち葉除けカバーの側面との間の隙間に落ち葉が直接落下しないようにできて、この隙間への落ち葉の堆積や、軒樋の側片に対向する落ち葉除けカバーの側面に落ち葉が付着し難くして、雨水の排水口への流入がスムーズとなる。
【図面の簡単な説明】
【００１７】
【図１】本発明の一実施形態の側断面図である。
【図２】同上の正面断面図である。
【図３】同上の軒樋を軒樋支持金具で支持している部分の側面断面図である。
【図４】同上に用いる落ち葉除けカバーを示し、（ａ）は斜視図であり、（ｂ）は平面図であり、（ｃ）は正面断面図であり、（ｄ）は側面図である。
【図５】同上に用いる排水ドレンを示し、（ａ）はドレン上部材の正面図であり、（ｂ）はドレン下部材の平面図であり、（ｃ）はドレン下部材の正面図であり、（ｄ）はドレン下部材の側面図である。
【図６】同上のドレン上部材に落ち葉除けカバーを取付けた状態を示し、（ａ）は平面図であり、（ｂ）は正面断面図であり、（ｃ）は側面図である。
【図７】同上のドレン上部材に取付けた落ち葉除けカバーにネットを取付けた状態を示し、（ａ）は平面図であり、（ｂ）は正面断面図であり、（ｃ）は側面図である。
【図８】本発明の他の実施形態の側断面図である。
【図９】同上に用いる補助カバーを示し、（ａ）は平面図であり、（ｂ）は正面図であり、（ｃ）は側面図である。
【発明を実施するための形態】
【００１８】
以下、本発明を添付図面に示す実施形態に基づいて説明する。
【００１９】
図１乃至図７には一実施形態を示している。
【００２０】
軒樋１は底部２の前後両端部から上方にそれぞれ側片５を突出して構成している。
【００２１】
前記前後の側片５のうち前側片１０は、図１、図３のように上に行く程前方に位置するような前上がり傾斜をしており、前側片１０の上端部に前耳部１１を設けている。
【００２２】
前耳部１１は前側片１０の内面より隙間を介して内側にずれて位置しており、この隙間が下方開口の係止溝１２となっている。
【００２３】
前記前後の側片５のうち後側片１３は、上端部が前側片１０の上端部よりも下方に位置しており、この前側片１０の上端部に後耳部１４を設けている。
【００２４】
軒樋１の底部２の長手方向の一部に排水口３を設けている。
【００２５】
上記の構成の軒樋１は、図３に示すように建物の鼻板４０などに軒樋支持金具４１により取付けられる。この場合、図３の実施形態では前側片１０の上端部においては、上記係止溝１２に軒樋支持金具４１の前端係止片４２をはめ込み係止することで軒樋１の前端上部を支持している。
【００２６】
軒樋１の排水口３には排水ドレン７を取付けている。
【００２７】
排水ドレン７は、図５に示すようなドレン上部材１５とドレン下部材１６とで構成している。
【００２８】
ドレン上部材１５は、外周に雄ねじ部１７を設けた接続用内筒部１８の上端外周に外鍔部１９を突設し、接続用内筒部１８の上端開口縁部から上方にごみ除けのための複数のリブ２０を突設し、複数のリブ２０の上端を環状部２１に一体に連設している。
【００２９】
ドレン下部材１６は、水溜め容器部２２の上端部に内方に向けて内鍔部２３を突設し、内鍔部２３の内周縁部から内周に雌ねじ部２６を設けた接続用外筒部２４を下方に向けて一体に垂設し、水溜め容器部２２の下端部に下接続筒部２５を形成している。
【００３０】
前記の構成の排水ドレン７を軒樋１の排水口３に取付けるには以下のようにして取付ける。
【００３１】
まず、ドレン上部材１５の接続用内筒部１８を排水口３に上方より挿入して外鍔部１９を軒樋１の底部２上面に当接すると共に、接続用内筒部１８を排水口３から下方に突出させる。
【００３２】
次に、ドレン下部材１６を軒樋１の下方に位置させた状態で、接続用外筒部２４の雌ねじ部２６を接続用内筒部１８の雄ねじ部１７に螺合すると共に内鍔部２３を軒樋１の底部２下面に当接することで排水ドレン７を軒樋１の排水口３に取付ける。
【００３３】
このようにして軒樋１の排水口３に取付けた排水ドレン７の下接続筒部２５に排水筒２７を接続する。
【００３４】
図１、図３に示す実施形態では、排水筒２７は、排水用曲がり筒２８と、排水用直筒２９とを接続して構成している。
【００３５】
落ち葉除けカバー４は、図４示すように平面視略長楕円形状（平面視略小判形状）をし且つ下面が開口し且つ四周側面と上面が格子状となったかご状をしている。
【００３６】
また、落ち葉除けカバー４の下面の開口は、軒樋１の排水口３よりも大きい開口面積となっている。
【００３７】
かご状の落ち葉除けカバー４の上面部の下面中央に下端部に係止部３０を有し且つ弾性を有する取付け脚３１を下方に向けて一体に垂設している。
【００３８】
また、落ち葉除けカバー４の上面部にはネット取付け部３２を設けている。
【００３９】
上記の構成の落ち葉除けカバー４は、排水口３をすっぽりと覆うように軒樋１内に配置し、取付け脚３１の下端部の係止部３０を排水ドレン７の環状部２１に嵌め込んで着脱自在に係止することで軒樋１に取付ける。
【００４０】
この場合、平面視略長楕円形状をした落ち葉除けカバー４の長辺が軒樋１の長手方向と平行となるように取付ける。
【００４１】
なお、上記落ち葉除けカバー４は、排水口３に環状部２１を備えた排水ドレン７を取付けた軒樋１であれば、軒樋１の形状は図１に示す実施形態のものにのみ限定されず、種々の形状の軒樋１に取付けることができる。
【００４２】
上記のように取付けた落ち葉除けカバー４の上方をネット６で覆う。このネット６は、軒樋１の長手方向においては、少なくとも前記落ち葉除けカバー４の軒樋の長手方向の略全長にわたって覆い、軒樋１の前後方向においては、軒樋１の両側片５の略上端間に亘って覆う。
【００４３】
図１に示す実施形態においてネット６は、軒樋１の長手方向において平面視略長楕円の落ち葉除けカバー４を超えて覆う大きさとする（つまりネット６の軒樋１の長手方向に沿った長さは落ち葉よけカバー４の長辺側の長さよりも長い）。
【００４４】
ネット６は、網目を落ち葉除けカバー４の上面部に設けたネット取付け部３２に引掛け係止することで落ち葉除けカバー４に着脱自在に取付ける。
【００４５】
また、ネット６は軒樋１の長手方向と直交する方向においては、軒樋１の両側片５の略上端間に亘る長さとし、図１に示す実施形態では、ネット６の前端部を係止溝１２に挿入係止し、後端を後耳部１４に被せている。
【００４６】
ネット６の前端部を上記のように係止溝１２に挿入係止することで、前述の軒樋支持金具４１の前端係止片４２をはめ込み係止する係止溝１２をネット６の前端部を係止する手段として兼用できる。
【００４７】
上記のように、落ち葉除けカバー４の上方がネット６で覆われるだけでなく、軒樋１の側片５と落ち葉除けカバー４との間の隙間３３がネット６で覆われ、落ち葉除けカバー４の上面部及び上記隙間３３に上方から直接落ち葉が落ち込むのを防止している。
【００４８】
軒樋１の長手方向の上記落ち葉除けカバー４を配置した部分を除く大部分においては上開口がネット６で覆われない。これにより、屋根の軒先から流下する雨水が軒樋１に流下するのが妨げられず、スムーズに流下させることができる。
【００４９】
軒樋１の上開口のネット６で覆われていない部分からは落ち葉が軒樋１内に落下することがあり、この軒樋１内に落下した落ち葉は軒樋１を雨水が流れる際に、雨水により下流側（つまり排水口３側）に向けて流される。
【００５０】
軒樋１内を雨水により流された落ち葉は、落ち葉除けカバー４の四周側面のうち雨水の流れに対向する格子状側面に付着する。
【００５１】
このように落ち葉除けカバー４の四周側面のうち雨水の流れに対向する格子状側面に落ち葉が付着するとこの部分から雨水が排水口３に流れ込み難くなる。したがって、大部分の雨水は軒樋１の側片５と、落ち葉除けカバー４の格子状側面（平面視略長楕円の長辺に沿った格子状側面）の間の隙間３３に流れ、落ち葉除けカバー４の平面視略長楕円の長辺に沿った格子状側面を通って落ち葉除けカバー４内に流れる。
【００５２】
ここで前述のように落ち葉除けカバー４の上方及び軒樋１の側片５と落ち葉除けカバー４との間の隙間３３がネット６で覆われ、隙間３３に落ち葉が落込んで堆積しないようになっているので、隙間３３を介して落ち葉除けカバー４内にスムーズに雨水が流れる。
【００５３】
落ち葉除けカバー４内に流れた雨水は、排水口３に取付けた排水ドレン７のリブ２０間を通過して接続用内筒部１８内を通過して水溜め容器部２２内、下接続筒部２５を通って排水筒２７へと流れて排水される。
【００５４】
したがって、落ち葉除けカバー４で落ち葉を捕捉して排水口３側に流れ込まないようにしながら、雨水は落ち葉除けカバー４を通過して、排水ドレン７を介してスムーズに排水筒２７から排水できる。
【００５５】
また、排水ドレン７にごみよけのためのリブ２０を設けることで、仮に落ち葉除けカバー４の格子目の部分を通り抜けて落ち葉などのごみが流れ込んでも、リブ２０で捕捉できる。
【００５６】
このようにして排水筒２７側に落ち葉などが流れて排水筒２７が詰まるのを防止でき、これにより、排水筒２７の径を小さくしても、落ち葉が詰まるという観点では問題がない。
【００５７】
ところで、図１、図２の実施形態においては、排水ドレン７の接続用内筒部１８の開口面積をＳ１とし、水溜め容器部２２の内部の平面視における最大面積をＳ２とし、下接続筒部２５の開口面積をＳ３とした場合、Ｓ２＞Ｓ１＞Ｓ３となるように設定している。
【００５８】
このため、本実施形態においては、水溜め容器部２２への流入量が、下接続筒部２５の流出量よりも多くなると、水溜め容器部２２内に雨水が徐々に溜まり、水溜め容器部２２内に水が溜まることで、下接続筒部２５が完全に水に浸かる（水で塞がれる）。
【００５９】
このようにして下接続筒部２５水に浸かった状態となると、下接続筒部２５に接続されている排水筒２７が満水状態となる。すると、この排水筒２７の下流端は地上部分（地中に設けた下水管等）までつながっているので、サイフォン現象が生じ、水溜め容器部２２内に溜まった雨水が排水筒２７側に引っ張られた状態となる。この結果、水溜め容器部２２内に溜まった雨水が、排水筒２７を介して勢い良く排水される。
【００６０】
したがって、本実施形態においては、排水筒２７の径の小さいものを使用しても、サイフォン現象を利用してスムーズに雨水の排水ができるようになっている。
【００６１】
ここで、排水筒２７の径が小さくなると、落ち葉などが詰まり易くなる。しかし、前述のように落ち葉除けカバー４、ネット６で落ち葉を捕捉する構成として排水筒２７の径を小さくしても落ち葉が排水筒２７内に詰り難くしているので、サイフォン現象を利用して小径の排水筒２７でスムーズに排水できる。
【００６２】
落ち葉除けカバー４の掃除に当たっては、係止部３０を環状部２１から外すことで、落ち葉除けカバー４を取り外して付着した落ち葉を取り除いたり、掃除したりできる。
【００６３】
また、ネット６をネット取付け部３２から外すことで、ネット６を落ち葉除けカバー４から外してネットに付着した落ち葉を取り除いたり、掃除したりできる。
【００６４】
次に、図８、図９に基づいて他の実施形態を説明する。
【００６５】
本実施形態は、落ち葉除けカバー４の上に着脱自在に補助カバー３５を取付け、補助カバー３５にネット６を着脱自在に取付けるようになっている。
【００６６】
補助カバー３５は、図９に示すように平面視略長楕円形状（平面視略小判形状）をし且つ下面が開口し且つ四周側面と上面が格子状となったかご状をしている。
【００６７】
補助カバー３５の下面の開口は、落ち葉除けカバー４の上面部とほぼ同じ大きさ及び形状をしている。
【００６８】
また、補助カバー３５の上面部は前（平面視で略長楕円の補助カバー３５の長辺と直交する方向を前後方向とする）に行く程下となるように下り傾斜した傾斜格子面３７となっており、更に、補助カバー３５の下開口の縁部に着脱係止部３６を設けている。傾斜格子面３７にはネット着脱取付け部３８を設けている。
【００６９】
上記構成の補助カバー３５は、落ち葉除けカバー４の上面部に載置し、着脱係止部３６を落ち葉除けカバー４の上面部の格子目部分に挿入係止することで着脱自在に取付ける。
【００７０】
この場合、傾斜格子面３７の前（つまり、傾斜格子面３７の低位置）が軒樋１の前側片１０に向くように取付ける。
【００７１】
傾斜格子面３７のネット着脱取付け部３８にネット６を着脱自在に取付ける。
【００７２】
ネット６は、補助カバー３５を介して落ち葉除けカバー４の上方を覆う。この場合、ネット６は軒樋１の長手方向と平行な方向においては、少なくとも補助カバー３５を介して落ち葉除けカバー４の軒樋１の長手方向の略全長にわたって覆う。
【００７３】
図８の実施形態においてネット６は、軒樋１の長手方向において補助カバー３５を介して平面視略長楕円の落ち葉除けカバー４を超えて覆っている（つまりネット６の軒樋１の長手方向に沿った長さは落ち葉よけカバー４、補助カバー３５の長辺側の長さよりも長い）。
【００７４】
また、軒樋１の前後方向においては、補助カバー３５を介して軒樋１の両側片５の略上端間に亘って覆う。
【００７５】
このようにしてネット６は補助カバー３５を介して取付けるので、ネット６の位置が高くなって屋根の軒先３９に近づけて配置でき、しかも、傾斜格子面３７上にネット６を取付けるので、ネット６の後が上、前が下となるように傾斜して取付けることができる。
【００７６】
これにより、ネット６上に落ちた落ち葉が風により傾斜したネット６から軒樋１よりも前方に滑り落ち易くして、ネット６上に落ち葉が堆積しにくくしている。したがって、ネット６の網目から雨水が軒樋１内に流れ込み易い。
【００７７】
本実施形態においては、落ち葉除けカバー４を取り外して付着した落ち葉を取り除いたり、掃除したりできる。また、補助カバー３５を落ち葉除けカバー４から取り外して付着した落ち葉を取り除いたり、掃除したりできる。更に、ネット６を補助カバー３５から取り外して付着した落ち葉を取り除いたり、掃除したりできる。
【符号の説明】
【００７８】
１  軒樋
２  底部
３  排水口
４  落ち葉除けカバー
５  側片
６  ネット
７  排水ドレン
【図１】
2012154056.tif 000003
【図２】
2012154056.tif 000004
【図３】
2012154056.tif 000005
【図４】
2012154056.tif 000006
【図５】
2012154056.tif 000007
【図６】
2012154056.tif 000008
【図７】
2012154056.tif 000009
【図８】
2012154056.tif 000010
【図９】
2012154056.tif 000011